【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
デバイスにおいて実施される方法であって、
プロセッサにおいて、受信された医療データネットワークトリガに関連付けられた分類レベルを決定するステップと、
前記プロセッサにおいて、前記受信された医療データネットワークトリガに関連付けられた前記分類レベルを決定することに応答して、1つまたは複数の他のデバイスとの利用可能なエアインターフェースの前記決定された分類レベルの要件を満たす能力を決定するステップと、
前記プロセッサにおいて、前記1つまたは複数の他のデバイスとの前記利用可能なエアインターフェースから、前記決定された分類レベルの前記要件を満たす前記決定された能力を有する、少なくとも1つのデバイスおよびその対応するエアインターフェースのうちの少なくとも1つを選択するステップと、
前記選択された少なくとも1つのデバイスと、前記決定された分類レベルの前記要件を満たす前記選択された少なくとも1つのエアインターフェースを確立して、前記分類レベルを有する医療データネットワークを確立するステップと、
前記医療データネットワークへの譲歩が必要であることを前記分類レベルが示すと判断することに応答して、前記医療データネットワークが確立されている間、別の接続デバイスが前記医療データネットワーク内のいずれのデバイスにもデータを送らないように、前記医療データネットワークの一部ではない前記別の接続デバイスに、前記分類レベルを有する前記医療データネットワークの指示を送るステップと
を含む、方法。
【請求項２】
前記分類レベルが、健康規制機関が割り当てた分類レベルである、請求項1に記載の方法。
【請求項３】
前記確立された医療データネットワークの前記少なくとも1つのエアインターフェースを介して医療データを送信または受信するステップをさらに含む、請求項2に記載の方法。
【請求項４】
前記プロセッサにおいて、前記決定された利用可能なエアインターフェースおよび前記1つまたは複数の他のデバイスの前記決定された分類レベルの要件を満たす能力を決定するステップが、
前記決定された分類レベルの前記要件を満たす前記1つまたは複数の他のデバイスの能力の各々に関して、前記決定されたエアインターフェースを介して前記1つまたは複数の他のデバイスをポーリングするステップと、
前記プロセッサにおいて、前記1つまたは複数の他のデバイスから受信された前記ポーリングに対する応答に基づいて、前記決定された利用可能なエアインターフェースおよび前記1つまたは複数の他のデバイスの前記決定された分類レベルの要件を満たす能力を決定するステップと
を含む、請求項2に記載の方法。
【請求項５】
前記プロセッサにおいて、前記1つまたは複数の他のデバイスおよび前記1つまたは複数の他のデバイスとの利用可能なエアインターフェースから、少なくとも1つのデバイスおよびその対応するエアインターフェースのうちの少なくとも1つを選択するステップが、最も速いエアインターフェースを選択するステップを含む、請求項2に記載の方法。
【請求項６】
前記医療データネットワークを新しい分類レベルに修正するトリガを受信するステップと、
前記選択された少なくとも1つのエアインターフェースが前記新しい分類レベルの新しい要件を満たすようにリソースを整合させるステップと
をさらに含む、請求項2に記載の方法。
【請求項７】
前記分類レベルが、帯域幅要件、パケット冗長性要件、サービス品質要件、待ち時間要件、セキュリティ要件、およびリンク冗長性要件から構成されるグループから選択された少なくとも1つの一意の要件を各々が有する、複数の様々な分類レベルのうちの1つである、請求項2に記載の方法。
【請求項８】
前記選択された少なくとも1つのデバイスと、前記決定された分類レベルの前記要件を満たす前記選択された少なくとも1つのエアインターフェースを確立することに応答して、前記分類レベルを有する医療データネットワークが確立されたことをユーザに示すステップをさらに含む、請求項1に記載の方法。
【請求項９】
前記プロセッサにおいて、別のデバイスから別の医療データネットワークを確立する要求を受信するステップと、
前記プロセッサにおいて、前記別の医療データネットワークを確立する前記受信された要求に関連付けられた分類レベルを決定するステップと、
前記プロセッサにおいて、前記選択されたエアインターフェースが使用するリソースが、前記別の医療データネットワークを確立するために必要とされるかどうかを判定するステップと、
前記プロセッサにおいて、前記選択されたエアインターフェースが使用するリソースが、前記別の医療データネットワークを確立するために必要とされると判定することに応答して、前記別の医療データネットワークを確立する前記受信された要求に関連付けられた前記分類レベルが、前記受信された医療データネットワークトリガに関連付けられた前記分類レベルよりも高いかどうかを判定するステップと、
前記別の医療データネットワークを確立する前記受信された要求に関連付けられた前記分類レベルが、前記受信された医療データネットワークトリガに関連付けられた前記分類レベルよりも高いと判定することに応答して、前記別の医療データネットワークを確立するように前記リソースを整合させるステップと
をさらに含む、請求項1に記載の方法。
【請求項１０】
前記受信された医療データネットワークトリガが、患者の健康状態のトリガ、患者の既往歴のトリガ、環境条件のトリガ、状況のトリガ、および位置のトリガのうちの1つまたは複数である、請求項1に記載の方法。
【請求項１１】
受信された医療データネットワークトリガに関連付けられた分類レベルを決定するための手段と、
前記受信された医療データネットワークトリガに関連付けられた前記分類レベルを決定することに応答して、1つまたは複数の他のデバイスとの利用可能なエアインターフェースの前記決定された分類レベルの要件を満たす能力を決定するための手段と、
前記1つまたは複数の他のデバイスとの前記利用可能なエアインターフェースから、前記決定された分類レベルの前記要件を満たす前記決定された能力を有する、少なくとも1つのデバイスおよびその対応するエアインターフェースのうちの少なくとも1つを選択するための手段と、
前記選択された少なくとも1つのデバイスと、前記決定された分類レベルの前記要件を満たす前記選択された少なくとも1つのエアインターフェースを確立して、前記分類レベルを有する医療データネットワークを確立するための手段と、
前記医療データネットワークへの譲歩が必要であることを前記分類レベルが示すと判断することに応答して、前記医療データネットワークが確立されている間、別の接続デバイスが前記医療データネットワーク内のいずれのデバイスにもデータを送らないように、前記医療データネットワークの一部ではない前記別の接続デバイスに、前記分類レベルを有する前記医療データネットワークの指示を送るための手段と
を備える、デバイス。
【請求項１２】
受信された医療データネットワークトリガに関連付けられた分類レベルを決定することと、
前記受信された医療データネットワークトリガに関連付けられた前記分類レベルを決定することに応答して、1つまたは複数の他のデバイスとの利用可能なエアインターフェースの前記決定された分類レベルの要件を満たす能力を決定することと、
前記1つまたは複数の他のデバイスとの前記利用可能なエアインターフェースから、前記決定された分類レベルの前記要件を満たす前記決定された能力を有する、少なくとも1つのデバイスおよびその対応するエアインターフェースのうちの少なくとも1つを選択することと、
前記選択された少なくとも1つのデバイスと、前記決定された分類レベルの前記要件を満たす前記選択された少なくとも1つのエアインターフェースを確立して、RFリソースを介して前記分類レベルを有する医療データネットワークを確立することと、
前記医療データネットワークへの譲歩が必要であることを前記分類レベルが示すと判断することに応答して、前記医療データネットワークが確立されている間、別の接続デバイスが前記医療データネットワーク内のいずれのデバイスにもデータを送らないように、前記医療データネットワークの一部ではない前記別の接続デバイスに、前記RFリソースを介して前記分類レベルを有する前記医療データネットワークの指示を送ることと
を含む動作をプロセッサに実行させるように構成されたプロセッサ実行可能命令を記憶した、非一時的プロセッサ可読記憶媒体。
【請求項１３】
第1のデバイスと、
第2のデバイスと、
第3のデバイスと
を備える、システムであって、
前記第1のデバイスが、
受信された医療データネットワークトリガに関連付けられた分類レベルを決定するための手段と、
前記分類レベルを決定することに応答して、前記第2のデバイスの能力に関して前記第2のデバイスをポーリングするための手段と
備え、
前記第2のデバイスが、前記ポーリングに応答して、前記第1のデバイスに前記第2のデバイスの能力の指示を送るための手段を備え、
前記第1のデバイスが、
前記第2のデバイスの能力の前記指示を受信することに応答して、前記第2のデバイスとの利用可能なエアインターフェースの前記決定された分類レベルの要件を満たす能力を決定するための手段と、
前記第2のデバイスとの前記利用可能なエアインターフェースから、前記決定された分類レベルの前記要件を満たす前記決定された能力を有する、少なくとも1つのエアインターフェースを選択するための手段と、
前記第2のデバイスと、前記決定された分類レベルの前記要件を満たす前記選択された少なくとも1つのエアインターフェースを確立して、前記分類レベルを有する医療データネットワークを確立するための手段と
をさらに備え、
前記第2のデバイスが、前記第1のデバイスと、前記決定された分類レベルの前記要件を満たす前記選択された少なくとも1つのエアインターフェースを確立して、前記分類レベルを有する前記医療データネットワークを確立するための手段をさらに備え、
前記第1のデバイスが、前記第3のデバイスに前記分類レベルを有する前記医療データネットワークの指示を送るための手段をさらに備え、
前記第3のデバイスが、
前記分類レベルを有する前記医療データネットワークの前記指示を受信するための手段と、
前記医療データネットワークへの譲歩が必要であることを前記分類レベルが示すと判断するための手段と、
前記医療データネットワークへの譲歩が必要であることを前記分類レベルが示すと判断することに応答して、譲歩動作を取るための手段であって、前記譲歩動作が、前記医療データネットワークが確立されている間、前記医療データネットワーク内のいずれのデバイスにもデータを送らないことである、手段と
を備える、
システム。
【請求項１４】
前記分類レベルが、健康規制機関が割り当てた分類レベルである、請求項13に記載のシステム。
【請求項１５】
前記分類レベルが、帯域幅要件、パケット冗長性要件、サービス品質要件、待ち時間要件、セキュリティ要件、およびリンク冗長性要件から構成されるグループから選択された少なくとも1つの一意の要件を各々が有する、複数の様々な分類レベルのうちの1つである、請求項14に記載のシステム。